(57)【要約】【課題】  セキュリティ用光源を光輝させる際の電力供給を調整することによって、電力消費を低減可能な車両用計器を提供する。【解決手段】  車両の各種情報を表示するための表示部１と、盗難に対する警告を行うべく光輝する光源２と、車両情報を入力しこの車両情報に基づいて表示部１や光源２を制御する制御手段３と、車載バッテリからの電力を降圧して制御手段３を含む負荷回路用の駆動電圧を生成するための電源回路４と、制御手段３からの信号に基づいて、表示部１を制御する場合と、光源２を制御する場合とで、選択的に前記バッテリから電源回路４への電流を調整する調整手段５とを備えてなる。【選択図】  図１
2011230683.tif 000002
【特許請求の範囲】
【請求項１】
車両の各種情報を表示するための表示部と、
盗難に対する警告を行うべく光輝する光源と、
車両情報を入力しこの車両情報に基づいて前記表示部や前記光源を制御する制御手段と、
車載バッテリからの電力を降圧して前記制御手段を含む負荷回路用の駆動電圧を生成するための電源回路と、
前記制御手段からの信号に基づいて、前記表示部を制御する場合と、前記光源を制御する場合とで、選択的に前記バッテリから前記電源回路への電流を調整する調整手段と
を備えてなることを特徴とする車両用計器。
【請求項２】
前記調整手段は、車両の起動スイッチまたは前記制御手段からの信号の何れかによって通電状態を切り換える第１の調整部と、前記制御手段からの信号に基づいて通電状態を切り換える第２の調整部と、を設けてなることを特徴とする請求項１に記載の車両用計器。
【請求項３】
前記調整手段は、前記第１の調整部に第１の制限抵抗素子を設け、前記第２の調整部に前記第１の制限抵抗素子よりも抵抗値の大きな前記第２の制限抵抗素子を設けてなることを特徴とする請求項２に記載の車両用計器。
【発明の詳細な説明】
【技術分野】
【０００１】
本発明は、車両に搭載され、盗難に対する警告等を行うべく光輝するインジケータを備えた車両用計器に関し、特に、車両が稼働していないときに、光源を光輝させて警戒感を与える車両用計器に好適である。
【背景技術】
【０００２】
例えば、車両がエンジン停止し、ドアロックされた状態など、車両に搭乗者がいない可能性が高い場合に、インストルメントパネルに設けられた光源を点滅させることによって、盗難を試しみる者に対して警戒感を与え、盗難を未然に防止する効果を奏するものがある（例えば、特許文献１に開示）。
【０００３】
また、これらのセキュリティ用の光源を車両用計器に搭載するものも提案されており、例えば、特許文献２に開示されている。
【先行技術文献】
【特許文献】
【０００４】
【特許文献１】特開平９−３０１１２８号公報
【特許文献２】特開２００９−７３３５６号公報
【発明の概要】
【発明が解決しようとする課題】
【０００５】
しかしながら、これらセキュリティ用の光源は、例えば、車両のイグニッションスイッチがオフの場合に光源を点滅させる必要があるため、この光源だけでなく他の電子部品においても電力消費してしまうため暗電流を低減するために改善の余地があった。
【０００６】
特に、この光源を駆動制御するためにマイクロコンピュータからなる制御手段や大きな負荷用に設けられ電源回路を作動させる場合、少ない光源のみを点灯するための消費電力としては無駄があった。
【０００７】
そこで本発明の目的とするところは、上述した課題に着目してなされ、セキュリティ用光源を光輝させる際の電力供給を調整することによって、電力消費を低減可能な車両用計器を提供することにある。
【課題を解決するための手段】
【０００８】
本発明の車両用計器は、車両の各種情報を表示するための表示部と、盗難に対する警告を行うべく光輝する光源と、車両情報を入力しこの車両情報に基づいて前記表示部や前記光源を制御する制御手段と、車載バッテリからの電力を降圧して前記制御手段を含む負荷回路用の駆動電圧を生成するための電源回路と、前記制御手段からの信号に基づいて、前記表示部を制御する場合と、前記光源を制御する場合とで、選択的に前記バッテリから前記電源回路への電流を調整する調整手段とを備えてなることを特徴とする。
【０００９】
また、前記調整手段は、車両の起動スイッチまたは前記制御手段からの信号の何れかによって通電状態を切り換える第１の調整部と、前記制御手段からの信号に基づいて通電状態を切り換える第２の調整部と、を設けてなることを特徴とする。
【００１０】
また、前記調整手段は、前記第１の調整部に第１の制限抵抗素子を設け、前記第２の調整部に前記第１の制限抵抗素子よりも抵抗値の大きな前記第２の制限抵抗素子を設けてなることを特徴とする。
【発明の効果】
【００１１】
本発明は、車両に搭載され、盗難に対する警告等を行うべく光輝する光源を備えた車両用計器に関し、前記光源を光輝させる際の電力供給を調整することによって、電力消費を低減できる車両用計器となる。
【図面の簡単な説明】
【００１２】
【図１】本発明の実施の形態における電気的な構成を示す図。
【図２】同上実施の形態における車両用計器の外観を示す図。
【図３】同上実施の形態における制御手段の処理手順を示す図。
【図４】同上実施の形態における制御手段の処理手順を示す図。
【発明を実施するための形態】
【００１３】
以下、本発明が適用された実施の形態について添付図面を用いて説明する。
【００１４】
図１は、車両用計器の電源回路を含む回路構成を示す図であり、表示部１と、光源２と、制御手段３と、電源回路４と、調整手段５と、を備えている。
【００１５】
表示部１は、制御手段３からの制御信号に基づいて、車両の走行速度や積算走行距離、警報情報など各種情報を表示する出力手段であり、例えば、バックライトを備えた液晶表示パネルを適用できる。表示部１は、図２に示すような表示画面の他にも操作スイッチ１１の操作に応じて画面切換えすることで他の情報を表示することもできる。なお、表示部１は、液晶表示パネルだけでなく、制御手段３からの制御信号に基づいて回動する指針と、この指針の指示対象からなる目盛りや文字からなる指標部とを備えた所謂指針式アナログ表示部を用いてもよい。
【００１６】
光源２は、制御手段３からの制御信号に基づいて、盗難に対する警告等を行うべくセキュリティ用インジケータ２１を光輝させるための発光ダイオードを適用できる。光源２は、車両情報を表示するための表示部１の近傍に別体で設けられる。
【００１７】
制御手段３は、所定プログラムや各種データの格納、演算時の記憶領域などに用いる図示しないＲＯＭやＲＡＭ等の記憶部と、前記所定プログラムに従って演算処理するためのＣＰＵと、入出力インターフェース等を設けてなるマイクロコンピュータを適用できる。
【００１８】
また、制御手段３は、表示部１、光源２、調整手段５などに接続され、前記所定のプログラムに基づいて各構成を制御するための制御信号（信号）を生成し出力する。制御手段３は、例えば、専用ケーブルを介して車両の各種センサの検出信号を車両情報として入力し、この車両情報に基づく計測値などの表示出力がなされるように促す制御信号を生成し表示部１へ出力したり、後述する条件に従って光源２を点滅制御するように促す制御信号を生成し光源２へ出力する。
【００１９】
電源回路４は、車載バッテリに接続され制御手段３や表示部１、光源２などの電子部品（負荷回路）に電源電圧を供給するものである。この場合、サージカットなどの回路を経てバッテリの電圧（通常１２〜１４Ｖ）を、制御手段３などの電子部品が作動するための電源電圧（例えば、５Ｖ）に降圧して供給している。
【００２０】
調整手段５は、前記バッテリと電源回路４との間に備えられ、車両のイグニッションスイッチ（起動スイッチ）または制御手段３からの信号の何れかによって通電状態を切り換える第１の調整部５１と、制御手段３からの信号に基づいて通電状態を切り換える第２の調整部５２と、を設けてなる。調整手段５は、第１の調整部５１に第１の制限抵抗素子５１Ａを有し、第２の調整部５２に第１の制限抵抗素子５１Ａよりも抵抗値の大きい第２の制限抵抗素子５２Ａを有している。
【００２１】
この場合、第１の制限抵抗素子５１Ａは、通常表示モードとして、車両情報を表示出力するため、即ち表示部１や制御手段３、他の負荷を駆動するのに十分な電流がバッテリから電源回路４へ流れるように調整する抵抗値が設定される。また、第２の制限抵抗素子５２Ａは、セキュリティ警告モードとして、光源２を点滅するため、即ち光源２や制御手段３を駆動するのに十分な電流がバッテリから電源回路４へ流れるように調整する第１の制限抵抗素子５１Ａよりも大きな抵抗値が設定される。
【００２２】
また、第１の調整部５１と第２の調整部５２とは、制御手段３の出力ポートに接続され、制御手段３からの信号に基づいてトランジスタ５１Ｂ，５２Ｂを用いて選択的に通電がなされるように構成される。
【００２３】
次に本発明に係る制御手段３の処理手順を図３，４を用いて説明する。
【００２４】
制御手段３は、車両情報なるイグニッションスイッチの状態を監視し（ステップＳ１）、イグニッションスイッチがオンである場合には、制御手段３の電源を投入する。イグニッションスイッチは、トランジスタ５１Ｂのベースに接続され、第１の調整部５１が通電状態を切り換えることができる。イグニッションスイッチがオン状態の場合には、通電表示モードに対応する所望の電流値にて前記バッテリからの電力が電源回路４に流れて制御手段３等を駆動することができる。この場合、制御手段３は、第１，第２の制限抵抗値５１Ａ，５２Ａが通電状態になるように促す信号をトランジスタ５１Ｂ，５２Ｂの各ベースに出力（ステップＳ２）して、通常表示モードを維持する。
【００２５】
制御手段３は、通常表示モードとして、入力した車両情報に関する表示を表示部１が出力するように促す制御信号を生成し表示部１へ出力する（ステップＳ３）。この表示によって車両利用者は、車両状態を確認することができる。
【００２６】
次にイグニッションスイッチがオフ状態の場合について図４を用いて説明する。
【００２７】
制御手段３は、イグニッションスイッチの状態を監視し（ステップＳ４）、イグニッションスイッチがオフの場合には、車両のドアの開閉状態やキーの挿入状態などに基づく車両用計器の終了条件を判定する（ステップＳ５）。この終了条件下において、制御手段３は、バックライトを消灯させ表示器１の駆動を停止するなど終了処理（ステップＳ６）を行う。
【００２８】
制御手段３は、終了処理が完了した場合には、第１の調整部５１の通電を停止するようにトランジスタ５１Ｂを制御するとともに、第２の調整部５２が通電されるようにトランジスタ５２Ｂを制御する（ステップＳ７）。この状態で、制御手段３は、盗難に対する警告等を行うべく光輝するセキュリティ用インジケータ２１の光源３を点滅制御する（ステップＳ８）。
【００２９】
従って、制御手段３は、第１の調整部５１を停止し、第２の調整部５２のみ通電がなされ、光源２を点滅駆動するための電子部品のみを制御するとともに、これら電子部品を制御するために必要な消費電流に対応する抵抗値の第２の制限抵抗素子５２Ａによって、最適で無駄の少ない電力消費状態となる。なお、制御手段３は、光源２の点滅において、消灯している間、制御手段３の電力消費を止めるなどして更なる省電力を行うこともできる。
【００３０】
斯かる車両用計器は、車両の各種情報を表示するための表示部１と、盗難に対する警告を行うべく光輝する光源２と、車両情報を入力しこの車両情報に基づいて表示部１や光源２を制御する制御手段３と、車載バッテリからの電力を降圧して制御手段３を含む負荷回路用の駆動電圧を生成するための電源回路４と、制御手段３からの信号に基づいて、表示部１を制御する場合と、光源２を制御する場合とで、選択的に前記バッテリから電源回路４への電流を調整する調整手段５とを備えてなる。
【００３１】
従って、調整手段５を用いて電力供給を調整することによって、車両のイグニッションスイッチがオフの場合であっても、小さな消費電流でセキュリティ用の光源２を点滅させることができる。即ち、電力消費の少ない車両用計器となる。
【００３２】
また、調整手段５は、車両の起動スイッチまたは制御手段３からの信号の何れかによって通電状態を切り換える第１の調整部５１と、制御手段３からの信号に基づいて通電状態を切り換える第２の調整部５２と、を設けてなり、第１の調整部５１に第１の制限抵抗素子５１Ａを設け、第２の調整部５２に第１の制限抵抗素子５１Ａよりも抵抗値の大きな第２の制限抵抗素子５２Ａを設けてなる。
【００３３】
従って、通常表示モードにおいて表示部１などの負荷回路を作動させるのに十分な電流を電源回路２を介して負荷側へ供給するための第１の調整部５１と、通常表示モードに比べて非常に負荷の小さいセキュリティ警告モードにおいて光源２等を点滅作動させるのに最適な電流を電源回路２を介して負荷側へ供給するための第２の調整部５２と、を選択的に作動させることができ、モードに応じて無駄なく最適な電流消費がなされる車両用計器となる。
【００３４】
なお、本発明を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００３５】
本発明は、車両が停止状態であってもセキュリティ用のインジケータが作動する車両用計器に関し、例えば、自動車やオートバイ、あるいは農業機械や建設機械を備えた移動体に搭載される車両用計器として適用できる。
【符号の説明】
【００３６】
１      表示部
２      光源
３      制御手段
４      電源回路
５      調整手段
５１    第１の調整部
５１Ａ  第１の制限抵抗素子
５２    第２の調整部
５２Ａ  第２の制限抵抗素子
【図１】
2011230683.tif 000003
【図２】
2011230683.tif 000004
【図３】
2011230683.tif 000005
【図４】
2011230683.tif 000006